(57)【特許請求の範囲】
【請求項１】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加する手段と、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加する手段と、
伝達された連続メディアに付加された、前記リンク情報または前記プログラムを読み出す手段と、
読み出した前記リンク情報または前記プログラムをユーザに提示する手段と、
前記ユーザにより選択された前記リンク情報により指定される情報あるいは前記ユーザにより選択された前記プログラムを実行した結果得られた情報をユーザに提示する手段とを有する連続メディア情報アクセス装置であって、
前記リンク情報または前記プログラムが付加された連続メディアが映像メディアでない場合、前記リンク情報あるいは前記プログラムが付加されていることを示すための画像を、前記リンク情報あるいは前記プログラムが付加されている期間とその前後一定期間だけ画面上に表示する
ことを特徴とする連続メディア情報アクセス装置。
【請求項２】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加する手段と、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加する手段と、
伝達された連続メディアに付加された、前記リンク情報または前記プログラムを読み出す手段と、
読み出した前記リンク情報または前記プログラムをユーザに提示する手段と、
前記ユーザにより選択された前記リンク情報により指定される情報あるいは前記ユーザにより選択された前記プログラムを実行した結果得られた情報をユーザに提示する手段とを有する連続メディア情報アクセス装置であって、
前記リンク情報と前記プログラムとが付加された連続メディアが音データである場合、前記リンク情報と前記プログラムとが付加されていることを示すための画像を、前記リンク情報あるいは前記プログラムが付加されている期間とその前後一定期間だけ画面上に表示する
ことを特徴とする連続メディア情報アクセス装置。
【請求項３】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加し、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加し、
伝達された連続メディアに付加された、前記リンク情報または前記プログラムを読み出し、
読み出した前記リンク情報または前記プログラムをユーザに提示し、
前記ユーザにより選択された前記リンク情報により指定される情報あるいは前記ユーザにより選択された前記プログラムを実行した結果得られた情報をユーザに提示する連続メディア情報アクセス方法であって、
前記リンク情報または前記プログラムが付加された連続メディアが映像メディアでない場合、前記リンク情報あるいは前記プログラムが付加されていることを示すための画像を、前記リンク情報あるいは前記プログラムが付加されている期間とその前後一定期間だけ画面上に表示する
ことを特徴とする連続メディア情報アクセス方法。
【請求項４】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加し、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加し、
伝達された連続メディアに付加された、前記リンク情報または前記プログラムを読み出し、
読み出した前記リンク情報または前記プログラムをユーザに提示し、
前記ユーザにより選択された前記リンク情報により指定される情報あるいは前記ユーザにより選択された前記プログラムを実行した結果得られた情報をユーザに提示する連続メディア情報アクセス方法であって、
前記リンク情報と前記プログラムとが付加された連続メディアが音データである場合、前記リンク情報と前記プログラムとが付加されていることを示すための画像を、前記リンク情報あるいは前記プログラムが付加されている期間とその前後一定期間だけ画面上に表示する
ことを特徴とする連続メディア情報アクセス方法。
【請求項５】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加する処理と、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加する処理と、
伝達された連続メディアに付加された、前記リンク情報または前記プログラムを読み出す処理と、
読み出した前記リンク情報または前記プログラムをユーザに提示する処理と、
前記ユーザにより選択された前記リンク情報により指定される情報あるいは前記ユーザにより選択された前記プログラムを実行した結果得られた情報をユーザに提示する処理とをコンピュータに実行させるための連続メディア情報アクセスプログラムを記録した記録媒体であって、
前記リンク情報または前記プログラムが付加された連続メディアが映像メディアでない場合、前記リンク情報あるいは前記プログラムが付加されていることを示すための画像を、前記リンク情報あるいは前記プログラムが付加されている期間とその前後一定期間だけ画面上に表示する処理をコンピュータにさらに実行させる
ことを特徴とする連続メディア情報アクセスプログラムを記録した記録媒体。
【請求項６】
リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加する処理と、
プログラムが付加されている区間の始点時刻から終点時刻までの時間区間と、前記時間区間においてプログラムが存在する画像中の領域と、プログラムの動作を指定するための情報とをプログラムデータとして連続メディアデータに付加する処理と、
伝達された連続メディアに付加された、前記リンク情報または前記プログラムを読み出す処理と、
読み出した前記リンク情報または前記プログラムをユーザに提示する処理と、
前記ユーザにより選択された前記リンク情報により指定される情報あるいは前記ユーザにより選択された前記プログラムを実行した結果得られた情報をユーザに提示する処理とをコンピュータに実行させるための連続メディア情報アクセスプログラムを記録した記録媒体であって、
前記リンク情報と前記プログラムとが付加された連続メディアが音データである場合、前記リンク情報と前記プログラムとが付加されていることを示すための画像を、前記リンク情報あるいは前記プログラムが付加されている期間とその前後一定期間だけ画面上に表示する処理をコンピュータにさらに実行させる
ことを特徴とする連続メディア情報アクセスプログラムを記録した記録媒体。
【発明の詳細な説明】
【０００１】
【発明の属する技術分野】
本発明は、単独の計算機、あるいはネットワークで接続された複数台からなる計算機システム、あるいはインターネットに接続された計算機システムで構成され、メディア情報に付加されたリンク情報を用いてネットワーク上の他の情報を参照する情報アクセス装置に関する。
【０００２】
【従来の技術】
ＷＷＷ（Ｗｏｒｌｄ  Ｗｉｄｅ  Ｗｅｂ）における情報アクセス装置は、テキストや静止画の情報に付加されたリンク情報を用いることにより、ネットワーク上の他のテキストやプログラム、静止画や動画像や音などの情報を参照することができるようになっている。
【０００３】
具体的には、ユーザが、リンク情報が付加されているテキストや静止画をポインティングデバイスなどの入力装置を使って選択することにより、情報アクセス装置はそのリンク情報が示すリンク先の情報にアクセスし、その情報を計算機の画面に表示する。
【０００４】
また、ＷＷＷでは、ある計算機によりユーザの計算機上に保持された情報や、サーバ上に保持された情報をネットワーク経由で獲得してそれを表示することが可能である。また、ユーザの計算機上に保持された情報や、サーバ上に保持された情報に対しての変更や情報の付加を行なうことが可能である。
【０００５】
これらのことは、下記の文献（１）に記載されている。
【０００６】
（１）Ｔｉｍ  Ｂｅｒｎｅｒｓ−Ｌｅｅ，Ｒｏｂｅｒｔ  Ｃａｉｌｌｉａｕ，Ｎｉｃｏｌａ  Ｐｅｌｌｏｗ，Ａｒｔｈｕｒ  Ｓｅｃｒｅｔ，“Ｔｈｅ  Ｗｏｒｌｄ  Ｗｉｄｅ  Ｗｅｂ  Ｉｎｉｔｉａｔｉｖｅ”，Ｉｎ  Ｐｒｏｃｅｅｄｉｎｇｓ  ｏｆ  ＩＮＥＴ  ’９３，Ｉｎｔｅｒｎｅｔ  Ｓｏｃｉｅｔｙ  ，Ａｕｇｕｓｔ，１９９３．
しかし、従来の情報アクセス装置では、テキストおよび静止画にリンク情報を付加し、別の情報へのアクセスを可能にしていたものの、音や動画像などの連続メディアの内部にリンク情報を付加することはできなかった。
【０００７】
また、ＣＤ−Ｉ（ＣＤ  Ｉｎｔｅｒａｃｔｉｖｅ）や他のハイパーメディアシステムでは、動画像中に関連する情報へのポインタや他の動画像へのポインタを付加し、ユーザの選択によってその情報を表示させる、あるいは、それ以降の動画像を変更するといったことが可能である。
【０００８】
これらのことは、下記の文献（２）、（３）、（４）、（５）に記載されている。
【０００９】
（２）Ｊｅｆｆ  Ｃｏｎｋｌｉｎ，“Ｈｙｐｅｒｔｅｘｔ  ：  Ａｎ  Ｉｎｔｒｏｄｕｃｔｉｏｎ  ａｎｄ  Ｓｕｒｖｅｙ”，  ＩＥＥＥ  ＣｏｍｐｕｔｅｒＭａｇａｚｉｎｅ，  Ｖｏｌ．２０，Ｎｏ．９，ｐｐ．１７−４１，Ｓｅｐｔｅｍｂｅｒ，１９８７．
（３）Ｎｉｔｉｎ  Ｎｉｃｋ  Ｓａｗｈｎｅｙ，Ｄａｖｉｄ  Ｂａｌｃｏｍ，Ｉａｎ  Ｓｍｉｔｈ，  “ＨｙｐｅｒＣａｆｅ：  Ｎａｒｒａｔｉｖｅ  ａｎｄＡｅｓｔｈｅｔｉｃ  Ｐｒｏｐｅｒｔｉｅｓ  ｏｆ  Ｈｙｐｅｒｖｉｄｅｏ”，Ｉｎ  Ｐｒｏｃｅｅｄｉｎｇｓ  ｏｆ  Ｈｙｐｅｒｔｅｘｔ  ’９６，ｐｐ．１−１０，Ｍａｒｃｈ，１９９６．
（４）Ｂａｒｒｙ  Ａｒｏｎｓ，  “Ｈｙｐｅｒｓｐｅｅｃｈ：Ｎａｖｉｇａｔｉｎｇ  ｉｎ  Ｓｐｅｅｃｈ−Ｏｎｌｙ  Ｈｙｐｅｒｍｅｄｉａ”，Ｉｎ  Ｐｒｏｃｅｅｄｉｎｇｓ  ｏｆ  Ｈｙｐｅｒｔｅｘｔ  ’９１，ｐｐ．１３３−１４６，Ｄｅｃｅｍｂｅｒ，１９９１．
（５）坂田哲夫、柴垣斉、佐藤哲司：“映像散策のためのビデオハイパーメディア−クライアントサーバ型ＶＨＭのアーキテクチャ”、情報処理学会研究報告、マルチメディア通信と分散処理、Ｖｏｌ．９７、Ｎｏ．１３、ｐｐ．１９−２４、Ｊａｎｕａｒｙ、１９９７．
これら、従来の情報アクセス装置では、ユーザの選択によって、その動画像に関連する情報の表示や再生される動画像の変更を可能にしていたものの、そこで得られる情報や動画像はそのアプリケーションの中で閉じており、ネットワークを通じて他の情報や動画像を得ることは行なわれていなかった。
【００１０】
また、画像以外の音や音声に対して情報を付加する場合は、人の声をテキスト化したり音を擬態話で表現するなどして音や音声をテキストに一度変換し、そのテキストにリンク情報を付加するという間接的な手段しかなく、すべての音データを統一的に扱い、リンク情報を付加することはできなかった。
【００１１】
また、従来の情報アクセス装置では、テキストやプログラムや静止画や連続メディアといった複数のメディアの情報を統一的に扱い、その全ての情報の任意の内容に対して、各種メディアで表現された情報をユーザにより付加し、その付加した情報をネットワーク上の複数のユーザ間で共有することはできなかった。
【００１２】
【発明が解決しようとする課題】
上述した従来の情報アクセス装置では、下記のような問題点があった。
（１）音や動画像などの連続メディアにリンク情報を付加することができなかった。
（２）特に音データを統一的に扱い、その音データにリンク情報を付加することができなかった。
（３）各種メディアで表現された情報をユーザにより付加し、その付加した情報をネットワーク上の複数のユーザ間で共有することはできなかった。
【００１３】
本発明の目的は、音や動画像などの連続メディアに付加されたリンク情報を用いてネットワーク上の他の計算機等に存在する情報を取り出すことができる連続メディア情報アクセス装置を提供することである。
【００１４】
【課題を解決するための手段】
上記目的を達成するために、本発明の連続メディア情報アクセス装置は、リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加する手段と、プログラムが付加されている区間の始点時刻から終点時刻までの時間区間と、前記時間区間においてプログラムが存在する画像中の領域と、プログラムの動作を指定するための情報とをプログラムデータとして連続メディアデータに付加する手段と、伝達された連続メディアに付加された、前記リンク情報または前記プログラムを読み出す手段と、読み出した前記リンク情報または前記プログラムをユーザに提示する手段と、前記ユーザにより選択された前記リンク情報により指定される情報あるいは前記ユーザにより選択された前記プログラムを実行した結果得られた情報をユーザに提示する手段とを有する連続メディア情報アクセス装置であって、前記リンク情報または前記プログラムが付加された連続メディアが映像メディアでない場合、前記リンク情報あるいは前記プログラムが付加されていることを示すための画像を、前記リンク情報あるいは前記プログラムが付加されている期間とその前後一定期間だけ画面上に表示する。
【００１５】
本発明は、リンク情報が付加されている区間の始点時刻から終点時刻までの時間区間と、前記時間区間においてリンク情報が存在する画像中の領域と、ネットワーク上の他の計算機上に存在する情報をリンク先として示すためのリンク先情報とをリンク情報として連続メディアデータに付加するようにし、プログラムが付加されている区間の始点時刻から終点時刻までの時間区間と、前記時間区間においてプログラムが存在する画像中の領域と、プログラムの動作を指定するための情報とをプログラムデータとして連続メディアデータに付加するようにしたものであって、音などの直接画面に表示することが困難なメディアに対しては、前記リンク情報あるいは前記プログラムが付加されていることを示すための画像を、前記リンク情報あるいは前記プログラムが付加されている期間とその前後一定期間だけ画面上に表示するようにしたものである。
【００１６】
したがって、テキストや静止画だけでなく、画像表示が困難な音データといった連続メディアに対してもリンク情報またはプログラムを付加することができるようにしたものである。
【００２３】
【発明の実施の形態】
次に、本発明の実施形態について図面を参照して詳細に説明する。
【００２４】
（第１の実施形態）
図１は本発明の第１の実施形態の連続メディア情報アクセス装置の構成を示したブロック図である。
【００２５】
本実施形態の連続メディアアクセス装置は、データ処理部４と、リンク情報処理部５と、テキスト表示部６と、静止画表示部７と、プログラム実行部８と、動画像表示装置９と、音対応画像表示装置１０と、音再生部１１と、画像表示装置１２と、音声再生装置１３と、ユーザ入力装置１４、ネットワーク１、３１と、ユーザ付加情報処理部２と、ユーザ付加情報保存部３とから構成されている。
【００２６】
また、図１に示されるように、本実施形態の連続メディア情報アクセス装置は、連続メディアアクセスプログラムを記録した記録媒体２４を備えている。この記録媒体２４は磁気ディスク、半導体メモリまたはその他の記録媒体であってもよい。
【００２７】
この連続メディアアクセスプログラムは、記録媒体２４あるいはネットワーク１、３１を介して接続された他の計算機に備えられた記録媒体からデータ処理部４に読み込まれ、データ処理部４の動作を制御する。データ処理部４は連続メディアアクセスプログラムの制御により以下の処理を実行する。
【００２８】
ネットワーク上に存在するテキストやプログラムや静止画等のメディアデータ、音データや動画像などの連続メディアデータといった各種メディアデータは、ネットワーク１を経由してデータ処理部４に渡される。データ処理部４は、受け取ったデータをメディアの種類毎に分離して、テキストはテキスト表示部６に、静止画データは静止画表示部７に、プログラムデータはプログラム実行部８に、音データは音対応画像表示装置１０と音再生部１１に、動画像は動画像表示装置９と音対応画像表示装置１０と音再生部１１に渡す。これらのデータを受け取ったテキスト表示部６、静止画表示部７、プログラム実行部８、動画像表示装置９、音対応画像表示装置１０、音再生部１１は、画像表示装置１２と音声再生装置１３を用いて、与えられたデータを表示、再生、実行する。
【００２９】
また、データ処理部４は、リンク情報が付加された連続メディアデータが渡された場合は、そのリンク情報をリンク情報処理部５に渡す。リンク情報処理部５では、付加されたリンク情報を解析するとともに、そのリンク情報を動画像の表示や音データの再生の際に同時にユーザに提示するよう、データ処理部４を通じて、動画像表示装置９あるいは音対応画像表示装置１０に指令を与える。その結果としてこれらのリンク情報は画像表示装置１２を通じてユーザに提示される。
【００３０】
提示されたリンク情報を見たユーザは、ユーザ入力装置１４を用いてリンク情報を選択することができる。データ処理部４では、ユーザが選択したリンク情報が示すリンクの先となる情報の在処を、リンク情報処理部５がそのリンク情報を解析した結果から求め、その情報をネットワーク１経由で取得する。
【００３１】
また、データ処理部４は、テキスト表示部６、静止画表示部７、プログラム実行部８、動画像表示装置９、音対応画像表示装置１０、音再生部１１から指令を直接受けることにより、リンク情報処理部５が解析した結果を用いてリンク情報が示す情報をネットワーク１経由で取得することも可能である。
【００３２】
また、音対応画像表示装置１０は、音再生部１１で再生されるべき音に対応する画像を一定時間表示しておくことにより、再生が終わってしまった音に対応するリンク情報を画像表示装置１２を通じてユーザに提示する。
【００３３】
また、ユーザ入力装置１４を経由したユーザからの要求、あるいはプログラム実行部８からの指示により、データ処理部４で処理しているデータに、新たに各種メディアデータやリンク情報あるいはプログラムを付加することができる。その場合、データ処理部４は、指定された付加情報とそれを付加する位置、付加を要求した者のＩＤ、付加の理由といった情報を、ネットワーク１経由でユーザ付加情報処理部２に伝える。ユーザ付加情報処理部２では、それらをユーザ付加情報保存部３に保存する。
【００３４】
また、ユーザ付加情報処理部２は、そこを経由する各種メディアデータに対して、それに付加すべき情報がユーザ付加情報保存部３に保存されているかどうかをチェックし、もし保存されている場合は、付加情報を組み込んだ新たなデータを生成して、それをネットワーク１、３１経由で他の連続メディア情報アクセス装置に渡すことにより、付加情報の再利用や複数ユーザ間での共有を可能にする。
【００３５】
本実施形態では、ユーザはテキストや静止画だけでなく、動画像や音データといった連続メディアの一部からも、それらに付加されたリンク情報を用いることによって、ネットワークで接続された世界中の情報をアクセスすることが可能になる。例えば、映画の中の登場する俳優の画像部分にその俳優のプロフィールが書かれた情報へのリンク情報を付加しておけば、画面上のその俳優をユーザがポインティングデバイスなどで指示することにより、映画を観賞しながら俳優のプロフィールを参照することができる。また、そのプロフィールにその俳優が出演した他の映画のその俳優の登場場面へのリンク情報が付加されていれば、その映画におけるその俳優の登場場面を見ることも可能となる。
【００３６】
（第１の比較形態）次に、第１の比較形態の連続メディア情報アクセス装置について説明する。図１中と同番号は同じ構成要素を示す。
図２は第１の比較形態の連続メディア情報アクセス装置の構成を示したブロック図、図３は第１の比較形態で用いられるリンク情報付動画像データ１５を示した図である。
第１の比較形態は、上記第１の実施形態をより具体的な構成としたものである。
【００３７】
第１の比較形態の連続メディア情報アクセス装置は、表示装置３２と、計算機４０と、ユーザ入力装置１４と、ネットワーク１から構成されている。
【００３８】
表示装置３２は、画像表示装置１２と、動画像表示装置９と、テキスト表示部６と、静止画表示部７とから構成されている。また、計算機４０は、データ処理部４と、リンク情報処理部５とから構成されている。そして、データ処理部４はネットワーク１を介して他の連続メディア情報アクセス装置と接続されているのは上記第１の実施形態と同様である。
【００３９】
第１の比較形態において連続メディアの受け渡しを行うためのリンク情報付動画像データ１５は、動画像データ１６と、リンク情報データ１７と、プログラムデータ１８とから構成されている。
【００４０】
リンク情報データ１７は、時間区間と、領域と、リンク先情報とから構成されている。
【００４１】
プログラムデータ１８は、時間区間と、領域と、動作とから構成されている。
【００４２】
テキストや静止画にリンク情報を付加する場合には、そのリンク先となる情報の在処に関する情報のみを与えればよい。しかし、連続メディアにリンク情報を付加する場合には、リンクに関する情報として、連続メディアの性質から必要不可欠な情報も同時に付加する必要がある。例えば動画像を対象とする場合は、リンク情報が付加されている区間のある始点時刻からある終点時刻までの時間区間と、その時間区間においてリンク情報が存在する画像中の領域を指定する必要がある。
【００４３】
第１の比較形態では、連続メディアに対しては、その始点時刻と終点時刻の組である時間区間、そのリンクが存在する領域、リンク先となる情報の在処の組をリンク情報とする。
【００４４】
次に、第１の比較形態の動作について図２および図３を用いて説明する。
【００４５】
先ず、ネットワーク１を介して、図３に示すリンク情報付動画像データ１５がデータ処理部４およびリンク情報処理部５に渡されると、その中の動画像データ１６が動画像表示装置９に渡され、画像表示装置１２で再生される。また、リンク情報付動画像データ１５中のリンク情報データ１７あるいはプログラムデータ１８で定義された時間区間の画像を再生している間は、定義された領域とリンク先情報あるいは動作に関する情報が動画像表示装置９に渡され、それも同時に画像表示装置１２に表示される。
【００４６】
ユーザがユーザ入力装置１４を用いて表示されたリンク情報を選択すると、その選択がデータ処理部４およびリンク情報処理部５に伝えられる。データ処理部４およびリンク情報処理部５は、選択されたリンク先情報により指定されたデータ、あるいは選択された動作をプログラムデータ１８が実行した結果として得られたデータを、ネットワーク１経由で取得する。取得されたデータはテキスト表示部６あるいは静止画表示部７に渡され、画像表示装置１２に表示される。
【００４７】
（第２の比較形態）次に、第２の比較形態の連続メディア情報アクセス装置について説明する。図１中と同番号は同じ構成要素を示す。図４は第２の比較形態の連続メディア情報アクセス装置の構成を示したブロック図、図５は第２の比較形態で用いられる動画像リンク情報付ハイパーテキスト１９を示した図である。第２の比較形態は、上記第１の実施形態をより具体的な構成としたものである。
【００４８】
第２の比較形態の構成は、図２に示された上記の第１の比較形態と同様な構成である。
【００４９】
第２の比較形態において連続メディアの受け渡しを行うための動画像リンク情報付ハイパーテキスト１９は、動画像データ情報２０と、プログラムデータ１８とから構成されている。
【００５０】
動画像データ情報２０は、動画像データ在処情報と表示処理指定とから構成されている。
【００５１】
動画像データ在処情報は、動画像が格納されている場所を示すものである。
【００５２】
表示処理指定は、画面上の位置と表示するタイミングを指定するためのものである。
【００５３】
次に、第２の比較形態の動作について図４および図５を用いて説明する。
【００５４】
先ず、ネットワーク１を介して動画像リンク情報付ハイパーテキスト１９がデータ処理部４およびリンク情報処理部５に渡されると、そのハイパーテキストがテキスト表示部６あるいは静止画表示部７に渡され、画像表示装置１２に表示される。それと同時に、動画像リンク情報付ハイパーテキスト１９中の動画像データ情報２０で定義された動画像が、ネットワーク１経由で取得される。取得された動画像は、動画像データ情報２０中で定義された表示処理指定に応じて動画像表示装置９に渡され、画像表示装置１２で再生される。また、プログラムデータ１８中で定義された時間区間の画像を再生している間は、定義された領域と動作に関する情報が動画像表示装置９に渡され、それも同時に画像表示装置１２に表示される。
【００５５】
ユーザがユーザ入力装置１４を用いて表示されたリンク情報を選択すると、その選択がデータ処理部４およびリンク情報処理部５に伝えられる。データ処理部４およびリンク情報処理部５は、選択された動作を実行した結果として指定されたデータを、ネットワーク１経由で取得する。取得されたデータはテキスト表示部６あるいは静止画表示部７あるいは動画像表示装置９に渡され、画像表示装置１２に表示される。
【００５６】
（第２の実施形態）次に、本発明の第２の実施形態の連続メディア情報アクセス装置について説明する。図１中と同番号は同じ構成要素を示す。図６は本実施形態の連続メディア情報アクセス装置の構成を示したブロック図、図７は本実施形態で用いられるリンク情報付音データ２１を示した図である。本実施形態は、上記第１の実施形態をより具体的な構成としたものである。
【００５７】
本実施形態の連続メディア情報アクセス装置は、図４に示された上記の第３の実施形態に対して、音声再生装置１３と、音再生部１１とが設けられ、表示装置３２が表示装置４２に置き換えられたものである。
【００５８】
表示装置４２は、表示装置３２に対して、音対応画像表示装置１０が設けられたものである。
【００５９】
本実施形態において連続メディアの受け渡しを行うためのリンク情報付音データ２１は、音データ２２と、リンク情報データ１７と、プログラムデータ１８とから構成されている。
【００６０】
上記第１の実施形態、第１の比較形態及び第２の比較形態の連続メディア情報アクセス装置を用いて、動画像中に現れる物体にリンク情報を付加する場合には、その物体が画面に表示されたときに画面を一時停止やコマ送りすることにより容易にその物体が表示された画像を見つけ出すことが可能であるが、音や音声の場合は、人間がその音や音声を認識するのはその音や音声が再生し終わった後であるため、目的の音や音声が話された瞬間を探すためには少し前の場所に巻き戻しを行なう必要があり、操作の手間がかかるという問題がある。
【００６１】
本実施形態は、このような問題を解決し、音や音声等の連続メディアに対しても容易にリンク情報を付加するためのものである。
【００６２】
次に、本実施形態の動作について図６および図７を用いて説明する。
【００６３】
先ず、ネットワーク１を介してリンク情報付音データ２１がデータ処理部４およびリンク情報処理部５に渡されると、その中の音データ２２が音再生部１１に渡され、音声再生装置１３で再生される。また、その時点で再生されるべき音および再生されるべき時点から一定時間経った音に対応する画像が音対応画像表示装置１０で生成され、画像表示装置１２に表示される。ここで、音に対応する画像とは、例えば再生される音データ２２が音楽の場合における音符の記号等の画像である。また、リンク情報データ１７あるいはプロクラムデータ１８中で定義された時間区間の音データを再生している間は、定義された領域とリンク先情報あるいは動作に関する情報が音対応画像表示装置１０に渡され、それも同時に画像表示装置１２に表示される。
【００６４】
ユーザがユーザ入力装置１４を用いて表示されたリンクを選択すると、その選択がデータ処理部４およびリンク情報処理部５に伝えられる。データ処理部４およびリンク情報処理部５は、選択されたリンクのリンク先情報で指定されたデータ、あるいは選択された動作を実行した結果として指定されたデータを、ネットワーク１経由で取得する。取得されたデータはテキスト表示部６あるいは静止画表示部７あるいは動画像表示装置９に渡され、画像表示装置１２に表示される。
【００６５】
本実施形態では、音データについても、例えば、そこで話された格言の出典、背景音に関する情報（自動車のエンジン音ならばその自動車に関する情報）、音楽に対してその作者や演奏者、楽譜などの情報へのリンクをその音データに付加しておけば、ユーザがそのリンクをポインティングデバイスなどで指示することによりそれらの情報を得ることができる。
【００６６】
（第３の比較形態）次に、第３の比較形態の連続メディア情報アクセス装置について説明する。図１中と同番号は同じ構成要素を示す。図８は第３の比較形態の連続メディア情報アクセス装置の構成を示したブロック図、図９は第３の比較形態で用いられるユーザ付加情報データ２３を示した図である。第３の比較形態は、上記第１の実施形態をより具体的な構成としたものである。
【００６７】
図８では、ネットワーク１に上記第１〜第４に示した計算機４０と同様な構成の計算機４０ａ、４０ｂが接続されている。
【００６８】
そして、ネットワーク１は、ユーザ付加情報処理部２に接続されていて、ユーザ付加情報処理部２はさらにネットワーク３１を介して他の連続メディア情報アクセス装置とも接続されている。また、ユーザ付加情報処理部２にはユーザ付加情報保存部３が接続されている。
【００６９】
図９は、第３の比較形態において用いられるユーザ付加情報データ２３を示したものである。
【００７０】
ユーザ付加情報データ２３は、情報ＩＤと、付加位置と、付加情報と、付加者ＩＤと、付加理由とから構成されている。
【００７１】
次に、第３の比較形態の動作について図８および図９を用いて説明する。
【００７２】
ある計算機４０ａのデータ処理部４およびリンク情報処理部５は、ネットワーク１およびユーザ付加情報処理部２を通じてデータを取得し、それを画像表示装置１２あるいは音声再生装置１３に表示、再生する。
【００７３】
計算機４０ａのユーザはユーザ入力装置１４を用いて指示を出し、その取得されたデータに対して、新たにデータやリンク情報あるいはプログラムを付加することを要求することができる。その場合、データ処理部４は、指定された付加データとそれを付加する位置、付加を要求したユーザのＩＤや付加の理由を、ネットワーク１を経由してユーザ付加情報処理部２に伝える。ユーザ付加情報処理部２は、それらの情報をユーザ付加情報データ２３に変換し、ユーザ付加情報保存部３に保存する。
【００７４】
一方、別の計算機４０ｂのデータ処理部４およびリンク情報処理部５がネットワーク１およびユーザ付加情報処理部２を通じてデータを取得する場合、ユーザ付加情報処理部２は、そこを経由するデータを、ユーザ付加情報保存部３に保存されているユーザ付加情報データ２３を用いてチェックする。もしそのデータに関する付加情報がユーザ付加情報保存部３に保存されている場合は、指定された付加位置にその付加情報を加えたデータをユーザ付加情報処理部２で新たに生成し、それをネットワーク１経由で計算機４０ｂのデータ処理部４およびリンク情報処理部５に渡す。
【００７５】
第３の比較形態では、ユーザがリンク情報を付加することができるようにしたため、再びその動画像や音データを参照した際、以前に自分が付加した様々な情報を再度利用することができる。さらにユーザが付加した情報を他のユーザとの間で共有することにより、他のユーザが動画像や音データに付加した新たな情報を利用することが可能になる。
【００７６】
【発明の効果】
以上説明したように、本発明は、画面表示が困難な音データといった連続メディアについてもリンク情報またはプログラムを付加することが可能となる。
【図面の簡単な説明】
【図１】本発明の第１の実施形態の連続メディア情報アクセス装置の構成を示したブロック図である。
【図２】第１の比較形態の連続メディア情報アクセス装置の構成を示したブロック図である。
【図３】図２の連続メディア情報アクセス装置で用いられるリンク情報付動画像データ１５の具体例を示した図である。
【図４】第２の比較形態の連続メディア情報アクセス装置の構成を示したブロック図である。
【図５】図４の連続メディア情報アクセス装置で用いられる動画像リンク情報付ハイパーテキスト１９の具体例を示した図である。
【図６】本発明の第２の実施形態の連続メディア情報アクセス装置の構成を示したブロック図である。
【図７】図６の連続メディア情報アクセス装置で用いられるリンク情報付動音データ２１の具体例を示した図である。
【図８】第３の比較形態の連続メディア情報アクセス装置の構成を示したブロック図である。
【図９】図８の連続メディア情報アクセス装置で用いられるユーザ付加情報データ２３の具体例を示した図である。
【図１】
0003668364.tif 000002
【図２】
0003668364.tif 000003
【図３】
0003668364.tif 000004
【図４】
0003668364.tif 000005
【図５】
0003668364.tif 000006
【図６】
0003668364.tif 000007
【図７】
0003668364.tif 000008
【図８】
0003668364.tif 000009
【図９】
0003668364.tif 000010